(57)【特許請求の範囲】
【請求項１】
両面に粘着性を有する細帯状テープ(1)と、その一方の面に貼り付けられた剥離フィルム(2)とから成り、剥離フィルム(2)を、テープ(1)の長さ方向の両側部に対応する一対の側部フィルム(4)に切目線を介して分割し、各側部フィルム(4)に、テープ(1)より下方へ迫り出す摘持部(5)を設け、側部フィルム(4)をプッシャーとして瞼を押し込むと、瞼に襞が形成され、その後、側部フィルム(4)を除去できるようにした二重瞼形成用シート。
【請求項２】
請求項１に記載の二重瞼形成用シートにおいて、剥離フィルム(2)を３分割して、一対の側部フィルム(4)の間に中間フィルム(3)を設け、中間フィルム(3)にも、テープ(1)より下方へ迫り出す摘持部(5)を設け、中間フィルム(3)を除去した状態で、側部フィルム(4)をプッシャーとして瞼を押し込むと、露出したテープ(1)の中間部が襞の中に貼り付けられるようにしたことを特徴とする二重瞼形成用シート。
【請求項３】
請求項１又は２に記載の二重瞼形成用シートにおいて、前記テープ(1)及び剥離フィルム(2)の上端縁を弧状とし、テープ(1)が剥離フィルム(2)の上端縁に沿うようにしたことを特徴とする二重瞼形成用シート。
【請求項４】
請求項２又は３に記載の二重瞼形成用シートにおいて、前記剥離フィルム(2)の摘持部(5)を、中間フィルム(3)及び一対の側部フィルム(4)の境界部分で下方が幅広く切り込まれた形状としたことを特徴とする二重瞼形成用シート。
【発明の詳細な説明】
【技術分野】
【０００１】
この発明は、瞼にテープを貼り付けることにより二重瞼を形成する二重瞼形成用シートに関するものである。
【背景技術】
【０００２】
従来より、美容上、瞼を二重にしたいという要請があり、これに応えるため、瞼にテープを貼り付けることにより、擬似的に二重瞼を形成する手段が種々提案されている。
【０００３】
例えば、下記特許文献１には、図７に示すように、細帯状のテープ５１に、少なくとも片面に粘着性を有する主テープ部５２とその両端から延長された把持部５３とを設け、両手で把持部５３を持ち、目を閉じた状態で、襞を形成したい位置に主テープ部５２を貼り付けた後、把持部５３を千切るように除去し、目を開ければ二重瞼が形成されるものが記載されている。
【０００４】
また、下記特許文献２には、図８に示すように、延伸可能でその延伸後にも弾性的な伸縮性を有する細長いテープ６１に粘着剤を塗布し、図９に示すように、襞を形成したい位置にテープ６１を両端から引っ張った状態で押し当て、手を離すと、弾性的に縮んだテープ６１が瞼に食い込んで、二重瞼の襞が形成され、その後、テープ６１の両端部を切断するものが記載されている。
【０００５】
また、下記特許文献３には、図１０に示すように、両面に粘着性を有する細帯状のテープ７１をＶ字状スティックのプッシャー７２の先端部に仮着し、目を閉じた状態で、プッシャー７２の先端部を瞼に接近させ、図１１に示すように、襞を形成したい位置にテープ７１を押し当てた後、目を開き、襞の上側となる部分の皮膚を軽く押し、襞の中にテープ７１をしっかりと貼り付けて、プッシャー７２を瞼から離すものが記載されている。
【先行技術文献】
【特許文献】
【０００６】
【特許文献１】特許第４１９７７３１号公報
【特許文献２】特許第３２７７１８０号公報
【特許文献３】登録実用新案第３１５４１３９号公報
【発明の概要】
【発明が解決しようとする課題】
【０００７】
しかしながら、上記特許文献１に記載の手段では、深い襞を形成することが難しく、特許文献２に記載の手段では、テープの引張力の調整や切断に慎重な作業を要し、特許文献３に記載の手段では、プッシャーの扱いに手間取り、意図した美観の二重瞼を形成するのが難しいという問題がある。
【０００８】
そこで、この発明は、襞が深く、美的に整った形状の二重瞼を簡単に形成できるようにすることを課題とする。
【課題を解決するための手段】
【０００９】
上記のような課題を解決するため、この二重瞼形成用シートは、両面に粘着性を有する細帯状テープと、その一方の面に貼り付けられた剥離フィルムとから成り、剥離フィルムを、テープの長さ方向の両側部に対応する一対の側部フィルムに切目線を介して分割し、各側部フィルムに、テープより下方へ迫り出す摘持部を設け、側部フィルムをプッシャーとして瞼を押し込むと、瞼に襞が形成され、その後、側部フィルムを除去するだけで、二重瞼が形成されるようにしたのである。
【００１０】
また、剥離フィルムを３分割して、一対の側部フィルムの間に中間フィルムを設け、中間フィルムを除去した状態で、側部フィルムをプッシャーとして瞼を押し込むと、露出したテープの中間部が襞の中に貼り付けられるようにしたのである。
【００１１】
また、前記テープ及び剥離フィルムの上端縁を弧状とし、テープが剥離フィルムの上端縁に沿うようにして、目の上縁に並行する自然な形状の襞を容易に形成できるようにしたのである。
【００１２】
さらに、前記剥離フィルムの摘持部を、中間フィルム及び一対の側部フィルムの境界部分で下方が幅広く切り込まれた形状とし、中間フィルムと各側部フィルムとを確実に区別して摘むことができるようにしたのである。
【発明の効果】
【００１３】
この発明に係る二重瞼形成用シートでは、剥離フィルムの側部フィルムが瞼を押し込むプッシャーを兼用しているので、別途スティック状のプッシャー等を用意して、これにテープを仮着したりする必要がない。
【００１４】
また、剥離フィルムの中間フィルムを予め除去し、テープの中間部を露出させておくことにより、襞の折込状態が保持されて、側部フィルムの除去に際し、襞の折り込みが戻ることもないため、襞が深く美的に整った形状の二重瞼を容易に形成することができる。
【図面の簡単な説明】
【００１５】
【図１】この発明に係る二重瞼形成用シートの台板への貼付状態を示す図
【図２】図１のII−II線に沿った断面図
【図３】同上の二重瞼形成用シートにおいて、中間フィルムを除去したテープを瞼に貼り付けた状態を示す（ａ）正面図、（ｂ）縦断側面図
【図４】同上の両方の側部フィルムにより瞼を押し込んだ状態を示す（ａ）正面図、（ｂ）縦断側面図
【図５】同上の片方の側部フィルムを除去した状態を示す（ａ）正面図、（ｂ）縦断側面図
【図６】同上のテープにより二重瞼を形成した状態を示す（ａ）正面図、（ｂ）縦断側面図
【図７】特許文献１に記載の二重瞼形成手段において、（ａ）テープを瞼に貼り付けた状態を示す正面図、（ｂ）把持部を切断した状態を示す正面図、（ｃ）二重瞼を形成した状態を示す正面図
【図８】特許文献２に記載の二重瞼形成手段において、テープを両端から引っ張った状態を示す図
【図９】同上のテープを瞼に貼り付けた状態を示す側面図
【図１０】特許文献３に記載の二重瞼形成手段において、プッシャーにテープを仮着して瞼に接近させた状態を示す側面図
【図１１】同上のテープをプッシャーで瞼に押し当てた状態を示す正面図
【発明を実施するための形態】
【００１６】
以下、この発明の実施形態を添付図面に基づいて説明する。
【００１７】
図１及び図２に示すように、この二重瞼形成用シートＳは、両面に粘着剤が塗布されたテープ１と、その一方の面に貼り付けられた剥離フィルム２とから成り、テープ１が他方の面で台板Ｐに貼り付けられている。実際の製品では、台板Ｐ上に多数の二重瞼形成用シートＳが並べて配置される。
【００１８】
剥離フィルム２は、テープ１の長さ方向の中間部及び両側部に対応する中間フィルム３及び一対の側部フィルム４に切目線を介して３分割され、中間フィルム３及び各側部フィルム４には、テープ１より下方へ迫り出す摘持部５がそれぞれ設けられている。
【００１９】
テープ１及び剥離フィルム２の上端縁は、弧状に湾曲し、テープ１が剥離フィルム２の上端縁に沿うようになっている。これにより、後述のように二重瞼を形成する際、目の上縁に並行する自然な形状の襞を容易に形成できる。
【００２０】
剥離フィルム２の摘持部５は、中間フィルム３及び一対の側部フィルム４の境界部分で下方が幅広く切り込まれた形状とされている。これにより、中間フィルム３と各側部フィルム４とを確実に区別して摘むことができる。
【００２１】
この二重瞼形成用シートＳのテープ１としては、ポリエステル樹脂等を材質とする柔軟なものが使用され、粘着剤には、皮膚に炎症を起こしにくい医療用のアクリル系粘着剤等が使用される。また、剥離フィルム２としては、例えば、ポリプロピレン等のポリオレフィン系樹脂を材質とする比較的硬質のものが使用される。
【００２２】
一方、台板Ｐとしては、紙のほか、ポリオレフィン系樹脂等を材質とする比較的硬質のものが使用される。
【００２３】
そして、剥離フィルム２の裏面及び台板Ｐの表面には、シリコン樹脂やフッ素系化合物のコーティングにより離型処理が施されている。
【００２４】
この離型処理において、テープ１と剥離フィルム２との粘着力は、テープ１と台板Ｐに対する粘着力よりも強く設定され、剥離フィルム２を捲ると、テープ１と剥離フィルム２の中間フィルム３及び一対の側部フィルム４とが一体となった二重瞼形成用シートＳが台板Ｐから分離するようになっている。
【００２５】
また、テープ１と剥離フィルム２との粘着力は、台板Ｐからの分離に伴い露出したテープ１の他方の面の瞼に対する粘着力よりも弱く設定され、テープ１を瞼に貼り付けて剥離フィルム２を捲ると、剥離フィルム２がテープ１から分離するようになっている。
【００２６】
このような二重瞼形成用シートＳを使用して二重瞼を形成する際には、剥離フィルム２のいずれかの摘持部５を摘んで台板Ｐから捲り上げると、二重瞼形成用シートＳが一体として台板Ｐから剥がれる。この状態で、剥離フィルム２を構成する中間フィルム３の摘持部５を摘んで、テープ１の一方の面から中間フィルム３を捲り上げるように除去する。
【００２７】
次に、図３に示すように、目を少し閉じた状態とし、剥離フィルム２を構成する一対の側部フィルム４の摘持部５を摘んで、瞼における襞を形成したい位置に、テープ１の他方の面を貼り付ける。
【００２８】
続いて、図４に示すように、摘持部５を摘んだまま、目を開き、一対の側部フィルム４の上端縁により瞼を押し込んで、瞼を筋付けするように折り込み、瞼に襞を形成すると、テープ１の一方の面において露出した中間部の粘着力により、襞の中にテープ１が貼り付いた状態となり、襞の折込状態が保持される。
【００２９】
その後、図５に示すように、各側部フィルム４を順次側方へ捲るように除去すると、図６に示すように、テープ１が全長に亘って瞼の襞の内面両側に貼り付いた状態となり、目を閉じても消滅しない二重瞼が形成される。
【００３０】
上記のような二重瞼形成用シートＳでは、剥離フィルム２の側部フィルム４が瞼を押し込むプッシャーを兼用しているので、別途スティック状のプッシャー等を用意して、これにテープ１を仮着したりする必要がない。
【００３１】
また、中間フィルム３を予め除去し、テープ１の中間部を露出させておくことにより、襞の折込状態が保持されて、側部フィルム４の除去に際し、襞の折り込みが戻ることもないため、襞が深く美的に整った形状の二重瞼を容易に形成することができる。
【００３２】
なお、テープ１の貼付状態をより確実にし、二重瞼の形状を整えるため、補助的にスティック状のプッシャーを用意して、これにより瞼を押し込むようにしてもよい。
【００３３】
また、二重瞼形成用シートＳは、作業性を優先する場合、剥離フィルム２を２分割して中間フィルム３を省略し、一対の側部フィルム４のみがテープ１に貼り付けられた構成としてもよい。
【符号の説明】
【００３４】
Ｓ  二重瞼形成用シート
１  テープ
２  剥離フィルム
３  中間フィルム
４  側部フィルム
５  摘持部
Ｐ  台板
【図１】
0005762165.tif 000002
【図２】
0005762165.tif 000003
【図３】
0005762165.tif 000004
【図４】
0005762165.tif 000005
【図５】
0005762165.tif 000006
【図６】
0005762165.tif 000007
【図７】
0005762165.tif 000008
【図８】
0005762165.tif 000009
【図９】
0005762165.tif 000010
【図１０】
0005762165.tif 000011
【図１１】
0005762165.tif 000012